(57)【特許請求の範囲】
【請求項１】
柔軟性があり、先端部側の外径が細く、基端部側の外径が太くなった一体成形のチューブからなり、基端部側の内径が拡径され、内周の小径部と拡径部の少なくとも一方に環状の突起からなる止血部が設けられている体内埋め込み用シースと、前記小径部内周に適合する太さの留置カテーテルと、前記拡径部内周に適合する太さの接続チューブと、一端が前記留置カテーテル内周に適合する太さの縮径部を有し、他端が前記接続チューブ内周に適合する太さの拡径部を有している接続パイプと、前記体内埋め込み用シースの外周を締め付けるクリップとを備えていることを特徴とする体内埋め込み具。
【請求項２】
前記接続パイプの一端を前記留置カテーテルの端部内周に挿入し、前記接続パイプの他端を前記接続チューブの端部内周に挿入して、前記留置カテーテルと前記接続チューブとを連結し、その状態で前記留置カテーテルの端部を前記シースの小径部に挿入し、前記接続チューブの端部を前記シースの拡径部に挿入したとき、前記接続パイプの縮径部に対応する位置に、前記体内埋め込み用シースの小径部の止血部が設けられ、前記接続パイプの拡径部に対応する位置に、前記体内埋め込み用シースの拡径部の止血部が設けられるように構成した請求項１記載の体内埋め込み具。
【請求項３】
前記体内埋め込み用シースの内周の拡径部に設けられた止血部の外周を、前記クリップにより締め付けた請求項１又は２記載の体内埋め込み具。
【請求項４】
前記接続パイプには、縮径部と拡径部の境界部にフランジ部が形成されている請求項１〜３のいずれか１つに記載の体内埋め込み具。
【発明の詳細な説明】
【０００１】
【発明の属する技術分野】
本発明は、留置カテーテルを薬液ポート等と一緒に体内に埋め込む際に利用される体内埋め込み具に関する。
【０００２】
【従来の技術】
従来、例えば制癌剤等の薬液を投与する場合、注射器や点滴によって血管内に投与すると、薬液が血管を通して体中に循環するため、癌細胞だけでなく正常細胞にもダメージを与えるという問題点があった。
【０００３】
このため、経皮的に血管内にカテーテルを挿入し、このカテーテルの先端を癌に侵された臓器への動脈入口に位置させ、薬液が癌に侵された臓器にダイレクトに注入されるようにして、薬液の投与量が少なくても顕著な制癌効果をもたらすようにする試みがなされている。
【０００４】
この場合、カテーテルは、その先端を癌に侵された臓器への動脈入口等に配置され、基端を該動脈から取り出して腹部等に埋め込まれる薬液注入ポートに接続されて、薬液注入ポートと一緒に体内に留置される。そして、体外から注射針を薬液注入ポートに刺し込んで制癌剤を注入するようにしている。
【０００５】
図１３、１４には、このような留置カテーテルを薬液注入ポートに接続して、腹部等に埋め込む例が示されている。すなわち、留置カテーテル１０は、シース５３を通して血管５２内に挿入され、その先端を図示しない患部に近い動脈入口等に配置される。また、留置カテーテル１０の基端は、血管５２に導入されたシース５３の基端から取り出され、金属の接続パイプ６３を介して、薬液注入ポート６１の接続チューブ６２に接続される。
【０００６】
このとき、接続パイプ６３の一端に装着された留置カテーテル１０の外周と、接続パイプ６３の他端に装着された接続チューブ６２の外周とが、縫合糸６５で縛り付けられる。また、シース５３の基端部の留置カテーテル１０が引き出された部分も縫合糸６５で縛り付けられる。
【０００７】
こうして、留置カテーテル１０を薬液注入ポート６１の接続チューブ６２に接続した後、薬液注入ポート６１を皮膚５１内に埋設し、手術を終了する。そして、制癌剤等の薬液は、注射器７０に入れて、その注射針７１を皮膚５１を通して薬液注入ポート６１に刺し込み、薬液注入ポート６１に投与される。その結果、薬液注入ポート６１から留置カテーテル１０を通して、癌に侵された臓器への動脈入口等に制癌剤がダイレクトに投与される。
【０００８】
なお、上記において、シース５３を取り外してしまうと、留置カテーテル１０を血管５２から抜き出す部分で、血管５２の孔の内周と留置カテーテル１０外周との間に隙間を生じ、出血してしまうという不都合が生じる。
【０００９】
【発明が解決しようとする課題】
しかしながら、上記従来のシース５３は、かなり硬い材質のチューブで形成されているので、体内に埋設したときに違和感があり、また、縫合糸で縛り付けても縮径しにくく締付けが不十分になりやすいという問題点があった。
【００１０】
したがって、本発明の目的は、留置カテーテルと一緒に体内に埋め込む場合に適した体内埋め込み用シースを利用した体内埋め込み具を提供することにある。
【００１１】
【課題を解決するための手段】
上記目的を達成するため、本発明の第１は、柔軟性があり、先端部側の外径が細く、基端部側の外径が太くなった一体成形のチューブからなり、基端部側の内径が拡径され、内周の小径部と拡径部の少なくとも一方に環状の突起からなる止血部が設けられている体内埋め込み用シースと、前記小径部内周に適合する太さの留置カテーテルと、前記拡径部内周に適合する太さの接続チューブと、一端が前記留置カテーテル内周に適合する太さの縮径部を有し、他端が前記接続チューブ内周に適合する太さの拡径部を有している接続パイプと、前記体内埋め込み用シースの外周を締め付けるクリップとを備えていることを特徴とする体内埋め込み具を提供するものである。
【００１２】
上記第１の発明によれば、体内埋め込み用シースが、柔軟性があるため体内に埋め込んでも違和感が少なく、先端が細く基端が太くなっているので、血管に挿入しやすくかつ挿入した状態で血管の孔の内周に密着して出血を防止することができる。更に、内周の少なくとも一箇所に環状の突起からなる止血部を有するので、留置カテーテル等の外周に上記止血部が密着して出血を防止でき、この止血部がチューブに一体に形成されているので、止血部によって柔軟性が損なわれることもない。
【００１３】
また、上記体内埋め込み具の使用に際しては、まず、接続パイプの一端を留置カテーテルの端部内周に挿入し、接続パイプの他端を接続チューブの端部内周に挿入することにより、接続パイプを介して、留置カテーテルと接続チューブとを連結される。その状態で留置カテーテルの端部をシースの小径部に挿入し、接続チューブの端部をシースの拡径部に挿入することにより、留置カテーテルの外周、若しくは、接続チューブの外周が、止血部によってシールされる。また、シースの外周をクリップで締付けることにより、シース内周と接続チューブ又は留置カテーテルの外周との間もシールすることができる。この場合、クリップを用いることにより、縫合糸で縛るよりも簡単かつ迅速に締付けることが可能となる。
【００１４】
更に、前記体内埋め込み用シースの基端部側の内周に前記止血部を設けた場合には、血管の孔の内周に基端部外周を密着させた際に、基端部が内側へ締め付けられることとなり、基端部内周に設けた止血部が、留置カテーテル外周に効果的に密着せしめられ、止血できるとともに、留置カテーテルが不用意にズレることなく、しっかりと固定させられることとなる。
【００１５】
本発明の第２は、前記第１の発明において、前記接続パイプの一端を前記留置カテーテルの端部内周に挿入し、前記接続パイプの他端を前記接続チューブの端部内周に挿入して、前記留置カテーテルと前記接続チューブとを連結し、その状態で前記留置カテーテルの端部を前記シースの小径部に挿入し、前記接続チューブの端部を前記シースの拡径部に挿入したとき、前記接続パイプの縮径部に対応する位置に、前記体内埋め込み用シースの小径部の止血部が設けられ、前記接続パイプの拡径部に対応する位置に、前記体内埋め込み用シースの拡径部の止血部が設けられるように構成した体内埋め込み具を提供するものである。
【００１６】
上記第２の発明によれば、小径部に留置カテーテルの端部を配置し、薬液注入ポート等に連結された径の大きい接続チューブの端部を拡径部に配置することにより、留置カテーテルの外周は小径部内周の止血部でシールされ、接続チューブの外周は拡径部内周の止血部でシールされる。したがって、留置カテーテルと、それより外径の大きい接続チューブとを止血しつつ接続することができ、かつ、各止血部に対応した位置に接続パイプが存在するので、止血が確実になされる。
【００１７】
本発明の第３は、前記第１又は第２の発明において、前記体内埋め込み用シースの内周の拡径部に設けられた止血部の外周を、前記クリップにより締め付けた体内埋め込み具を提供するものである。
【００１８】
上記第３の発明によれば、縫合糸で縛るよりも簡単かつ迅速に、シース内周と接続チューブとの間をシールして固定することができ、かつ、止血がより確実になされる。
【００１９】
本発明の第４は、前記第１〜３の発明のいずれかにおいて、前記接続パイプには、縮径部と拡径部の境界部にフランジ部が形成されている体内埋め込み具を提供するものである。
【００２０】
上記第４の発明によれば、接続パイプで接続された部分を埋め込み用シース内に挿入すると、接続パイプのフランジ部が軸孔の拡径部の奥壁に係合する。
【００２１】
なお、本発明の好ましい態様においては、体内埋め込み用シースにカテーテルガイド用の芯線が予め挿入されていることが好ましい。これによって、芯線をシースの端部から突出させておき、カテーテルの端部を芯線の外周に被せて、芯線をガイドにしてシース内部に挿入できるので、カテーテルをシース内に容易に挿入することができる。なお、カテーテルの端部がシース内に挿入されたら、前記芯線を引き抜く。
【００２２】
【発明の実施の形態】
図１には、体内埋め込み用シースの参考例が示されている。
【００２３】
この体内埋め込み用シース１００は、例えばポリウレタン、シリコン、軟質ポリ塩化ビニル、軟質ポリアミド等の柔軟性のある樹脂を一体成形した樹脂チューブで全体を構成している。この場合の樹脂には、特にエーテル系ポリウレタンが柔軟性、耐久性が高く好適である。
【００２４】
シース１００の先端部外周１０１は先細テーパ状をなし、基部寄り部分外周１０２は次第に拡径するテーパ状をなしている。また、基端面にはフランジ部１０３が形成され、その内側に縮径部１０４が形成されている。
【００２５】
更に、シース１００の軸心には、留置カテーテル１０が挿通される軸孔１０５が形成されている。軸孔１０５の内周の一部、この実施形態では基部寄り部分に環状の突起からなる止血部１０６が形成されている。したがって、留置カテーテル１０を挿入すると、止血部１０６が留置カテーテル１０の外周に密着して、留置カテーテル１０外周とシース１００内周との隙間がシールされ、その部分からの血液の漏洩が防止されるようになっている。
【００２６】
なお、体内埋め込み用シース１００の各部の大きさは特に限定されず、適用個所や用途に応じて適宜定めればよいが、一般的であって、シースの柔軟性を効果的に発揮させるには、シース１００の長さＬが５０〜１５０ｍｍ程度、中間部の外径ａが１．５〜５ｍｍ程度、基端部の最大径ｂが４〜８ｍｍ程度、内径ｃが０．５〜３ｍｍ程度、中間部の壁厚ｄは０．５〜２ｍｍ程度が良い。
【００２７】
この体内埋め込み用シース１００は、図２に示すように、使用に際して留置カテーテル１０の挿入をガイドするための芯線１０７が予め挿入されていることが好ましい。芯線１０７は、その後端部に屈曲部１０７ａを有し、シース１００から抜け落ちてしまうことを防止している。また、芯線１０７は、体内埋め込み用シース１００よりもやや長く、屈曲部１０７ａをシース１００の基端部に係合させた状態で、芯線１０７の先端がシース１００の先端部から突出するようになっている。
【００２８】
留置カテーテル１０を挿入する際には、まず、芯線１０７の先端を留置カテーテル１０の端部に挿入し、次いで芯線１０７をガイドにして、留置カテーテル１０の端部をシース１００の軸孔１０５に挿入し、その後、芯線１０７を引き抜けばよい。
【００２９】
図１０には本発明に用いられる留置カテーテルの一例が示されている。
【００３０】
この留置カテーテル１０は、例えばウレタン、ナイロン、ポリエチレン、ポリプロピレン、シリコン等の合成樹脂、あるいは超弾性合金等からなるチューブ状のカテーテル本体１１を有する。カテーテル本体１１の基端部には、芯線１２をシールしながら挿入できる導入口部１３が装着されている。芯線１２としては、超弾性合金、ステンレス等の線材や、ガイドワイヤ等が使用できる。
【００３１】
カテーテル本体の内周及び／又は外周には、カテーテル本体１１に対する芯線１２の滑り性を向上させたり、あるいは後述する親カテーテルに対するカテーテル本体１１の滑り性を向上させるため、親水性樹脂がコーティングされていることが好ましい。
【００３２】
カテーテル本体１１の先端部の内部には、カテーテル本体１１よりも剛性が高いコイル状の線材１４が挿入されている。線材１４としては、この実施例の場合人体の体温付近で超弾性を示すように形状記憶処理した形状記憶合金が用いられているが、ステンレス等の他の金属線や、剛性の高いＦＲＰ線材などを用いることもできる。コイル状線材１４の自由時の外径は、対象とする血管等の留置部位の内径Ａ（図１２（ａ）参照）よりも十分に大きな径である。また、カテーテル本体１１に内挿された状態において、カテーテル本体１１をも上記留置部位の内径Ａより大きな外径Ｂのコイル状に屈曲させている。一方、線材１４は超弾性を有しており、カテーテル本体１１は樹脂チューブよりなるので両者がしなやかに変形し得て、親カテーテル５５の内径Ｃ（図１２（ａ）参照）に入り込んで、血管等に挿入できるようになっている。なお、カテーテル本体１１の最先端には、環状の造影チップ１５が装着されている。
【００３３】
カテーテル本体１１の線材１４の基端から所定距離だけ基部よりに離れた周壁には、スリット状の開口２１が形成されている。この開口２１は、内部に液圧がかかったときには開き、内部に液圧がかからないときには閉じるようになっている。それによって、薬液の注入時には開き、それ以外のときには血液等の体液が開口２１からカテーテル本体１１内に流入しないようになっている。
【００３４】
この留置カテーテル１０の使用に際しては、図１１に示すように、まず、周知のセルディンガー法により、シース５３（この場合のシース５３は従来から用いられているカテーテル挿入用の通常のシース）を経皮的に血管（大腿部動脈）５２内に挿入する。次に、シース５３の基端に設けた導入口部５４を通して、親カテーテル５５を挿入する。更に、親カテーテル５５の基端に設けた導入口部５６を通して、図示しないガイドワイヤを挿入し、ガイドワイヤの先端を血管の目的とする箇所に到達させた後、ガイドワイヤに沿って親カテーテル５５の先端を押し進めて上記箇所に到達させ、ガイドワイヤを引き抜く。
【００３５】
次に、親カテーテル５５の基端に設けた導入口部５６を通して、留置カテーテル１０を挿入し、留置カテーテル１０の基端に設けた導入口部１３を通して、芯線１２を挿入する。そして、芯線１２によって剛性を持たせながら留置カテーテル１０を親カテーテル５５内に押し込む。
【００３６】
図１２（ａ）に示すように、親カテーテル５５内に挿入された留置カテーテル１０の先端部は、カテーテル本体１１内部のコイル状の線材１４が波形に伸ばされて、親カテーテル５５内を通過する。
【００３７】
そして、同図（ｂ）に示すように、親カテーテル５５を引いて留置カテーテル１０の先端を押し出すと、留置カテーテル１０の先端は、親カテーテル５５の内径に制約されて押し縮められた状態から、元の自由状態のコイル径に弾性復帰し、血管５２の内壁にしなやかに押圧される。
【００３８】
こうして、留置カテーテル１０の先端が血管５２の目的とする個所に固定されたら、同図（ｃ）に示すように、親カテーテル５５を抜き取って留置カテーテル１０のみを留置する。
【００３９】
この状態で、図１１に示す芯線１２を抜き取り、留置カテーテル１０の導入口部１３を切離して、シース５３も抜き取ってしまい、血管５２から留置カテーテル１０の基端部が突出した状態にする。
【００４０】
次いで、留置カテーテル１０の基端部に、図２に示した方法で、体内埋め込み用シース１００の先端部を被せ、留置カテーテル１０をガイドにしてシース１００を前方にスライドさせて、図３に示すように、体内埋め込み用シース１００を血管５２に挿入する。
【００４１】
これによって、体内埋め込み用シース１００のテーパ状に拡径する基部寄り部分外周１０２が血管５２の孔の内周に密着し、血管５２の孔とシース１００との隙間から血液が漏洩することが防止される。また、図１に示したように、留置カテーテル１０の外周は、体内埋め込み用シース１００の内周の止血部１０６に密着して、留置カテーテル１０の外周と体内埋め込み用シース１００内周との隙間もシールされる。更に、体内埋め込み用シース１００は、柔軟性を有しているので、血管５２に沿って柔らかに屈曲し、埋め込んだ際の違和感を軽減することができる。
【００４２】
更に、図４に示すように、体内埋め込み用シース１００の縮径部１０４に縫合糸１１０を縛り付けることにより、シース１００が留置カテーテル１０の外周に押圧されて、両者を一体化することができる。なお、縮径部１０４は、拡径された基部寄り部分外周１０２とフランジ部１０３とに挟まれて環状の凹部をなしているので、縫合糸１１０を縛り付けやすく、しかも外れにくくなっている。
【００４３】
なお、留置カテーテル１０の端部は、図１３に示したような薬液注入ポート６１の接続チューブ６２と連結し、図１４と同様な態様で、これらを体内に埋め込むことができる。
【００４４】
図５は、上記体内埋め込み用シース１００の縮径部１０４及びフランジ部１０３に、他のチューブを接続するための接続具を取付けた状態を示している。この接続具１１０は、図示しないヒンジ部を介して半割状に分割される構造をなし、それらの内側にはチューブ挿通孔１１１が形成され、チューブ挿通孔１１１は留置カテーテルの端部が配置される縮径部１１１ａと、薬液ポート等の接続チューブの端部が挿入される拡径部１１１ｂとを有している。更に、縮径部１１１ａの端部には、シース１００の縮径部１０４及びフランジ部１０３が嵌合する嵌合凹部１１１ｃが形成されている。このように、シース１００の縮径部１０４及びフランジ部１０３に嵌合させることにより、各種の部品をワンタッチで確実に取付けることが可能となる。なお、上記接続具１１０の代わりに、エア抜き用の止血弁や、ルアーロック等を取付けることもできる。
【００４５】
図６〜８には本発明による体内埋め込み具の一実施形態が示されている。
【００４６】
図６に示すように、この体内埋め込み具は、体内埋め込み用シース１２０と、先端部を図１２（ｄ）に示したような態様で血管の所定個所に配置される留置カテーテル１０と、薬液ポートに連結された接続チューブ６２と、留置カテーテル１０及び接続チューブ６２を連結する接続パイプ１３０とを備えている。
【００４７】
体内埋め込み用シース１２０は、基本的には図１〜５に示したものと同様な構造をなしているが、軸孔１０５の先端部側が小径部１０５ａをなし、基端部側が拡径部１０５ｂをなし、小径部１０５ａ内周及び拡径部１０５ｂ内周のそれぞれに、環状の突起からなる止血部１０６ａ、１０６ｂが形成されている。小径部１０５ａは、留置カテーテル１０が適合する内径をなし、拡径部１０５ｂは、接続チューブ６２が適合する内径をなしている。
【００４８】
接続パイプ１３０は、留置カテーテル１０の内周に圧入できる外径の第１端部１３１と、接続チューブ６２の内周に圧入できる外径の第２端部１３２と、それらの境界部に設けられたフランジ部１３３とを有している。
【００４９】
図７に示すように、この体内埋め込み具は、更に体内埋め込み用シース１２０の外周を締め付けるためのクリップ１４０を有している。この実施形態の場合、クリップ１４０は、合成樹脂で一体成形されたバンド状の部材からなり、該部材の中間部にはヒンジ部１４１が設けられ、ヒンジ部１４１の両側には円弧状の腕部１４２，１４３が設けられている。
【００５０】
一方の腕部１４２は、途中から内周側１４２ａ及び外周側１４２ｂの２つの腕部に分かれ、それらの間に係合溝１４４が形成されている。更に、腕部１４２の外周側１４２ｂの内側には多数の鋸刃状凹凸からなる第１係合部１４５が形成されている。
【００５１】
他方の腕部１４３には、前記腕部１４２の係合溝１４４に差込まれるように、円弧状に伸びた係合部１４６が形成されている。この係合部１４６の外周側には前記第１係合部１４５に係合する第２係合部１４７が形成されている。
【００５２】
この体内埋め込み具の使用方法について説明すると、まず図１２に示したような操作によって、留置カテーテル１０の先端を血管の所定個所に配置して固定させた状態で、図２に示すような方法で、留置カテーテル１０の基部側を体内埋め込み用シース１２０にその先端側から挿入させる。
【００５３】
次に、接続パイプ１３０の拡径部１３２を、薬液ポート等に接続された接続チューブ６２の先端に挿入し、接続パイプ１３０の小径部１３１を留置カテーテル１０の基端部に挿入することにより、接続パイプ１３０を介して、留置カテーテル１０と接続チューブ６２とを接続する。
【００５４】
続いて、この接続パイプ１３０で接続された部分を埋め込み用シース１２０内に挿入すると、接続パイプ１３０のフランジ部１３３が軸孔１０５の拡径部１０５ｂの奥壁に係合し、接続チューブ６２端部が拡径部１０５ｂ内周に配置され、留置カテーテル１０端部が小径部１０５ａ内周に配置される。そして、それぞれの止血部１０６ａ，１０６ｂが留置カテーテル１０、接続チューブ６２の外周に圧接されて止血がなされる。
【００５５】
更に、埋め込み用シース１２０の縮径部１０４の外周に、図７に示したクリップ１４０を、図９に示すような態様で装着し、クリップ１４０の係合溝１４４に係合部１４６を挿入し、係合溝１４４の第１係合部１４５に係合部１４６の第２係合部１４７を係合させてクリップ１４０を締付固定する。なお、図９は、埋め込み用シース１２０のフランジ部１０３を省略して示している。
【００５６】
図８は、こうして留置カテーテル１０、接続チューブ６２を接続した埋め込み用シース１２０を血管５２内に挿入配置した状態を示す。すなわち、シース１２０の基部寄り部分外周１０２が血管５２の孔の内周に密着して血液の漏洩が防止され、シース１２０は自身の柔軟性により血管５２に沿って屈曲し、留置カテーテル１０を違和感なく血管５２内に挿入させることできる。
【００５７】
【発明の効果】
以上説明したように、本発明の体内埋め込み具を構成する体内埋め込み用シースによれば、柔軟性があるため、体内に埋め込んでも違和感が少なく、先端が細く基端が太くなっているので、血管に挿入しやすくかつ挿入した状態で血管の孔の内周に密着して出血を防止することができる。また、内周の少なくとも一箇所に環状の突起からなる止血部を有するので、留置カテーテル等の外周に上記止血部が密着して出血を防止でき、この止血部がチューブに一体に形成されているので、止血部によって柔軟性が損なわれることもない。
【００５８】
また、本発明の体内埋め込み具によれば、接続パイプの一端を留置カテーテルの端部内周に挿入し、接続パイプの他端を接続チューブの端部内周に挿入して、留置カテーテルと接続チューブとを連結し、その状態で留置カテーテルの端部をシースの小径部に挿入し、接続チューブの端部をシースの拡径部に挿入することにより、留置カテーテルの外周は小径部内周の止血部でシールされ、接続チューブの外周は拡径部内周の止血部でシールすることができる。更に、シースの外周をクリップで締付けることにより、縫合糸で縛るよりも簡単かつ迅速に、シース内周と接続チューブ又は留置カテーテルの外周との間をシールして固定することができる。
【図面の簡単な説明】
【図１】体内埋め込み用シースの参考例を示す断面図である。
【図２】同体内埋め込み用シースに芯線を挿入しておき、この芯線をガイドにして留置カテーテルを挿入する状態を示す説明図である。
【図３】同体内埋め込み用シースを血管内に導入した状態を示す模式断面図である。
【図４】同体内埋め込み用シースの基端部外周を縫合糸で縛り付けた状態を示す説明図である。
【図５】同体内埋め込み用シースに接続具を取付けた状態を示す説明図である。
【図６】本発明による体内埋め込み具の一実施形態を示す断面図である。
【図７】同体内埋め込み具に用いられるクリップの一例を示す平面図である。
【図８】同体内埋め込み具を用いて留置カテーテルと接続チューブとを接続し、血管内に導入した状態を示す模式断面図である。
【図９】同体内埋め込み具のクリップでシースを締め付ける状態を示す斜視図である。
【図１０】本発明で用いられる留置カテーテルの一例を示す一部切欠き側面図である。
【図１１】同留置カテーテルを経皮的に血管内に挿入する状態を示す説明図である。
【図１２】親カテーテルを通して同留置カテーテルを血管内に挿入し、薬液を流出させる手順を示す説明図である。
【図１３】留置カテーテルを薬液注入ポートに接続する従来方法の一例を示す斜視図である。
【図１４】従来の方法で接続された留置カテーテル及び薬液注入ポートを体内に埋設した状態を示す断面図である。
【符号の説明】
１０  留置カテーテル
５２  血管
６１  薬液注入ポート
６２  接続チューブ
１００、１０２  体内埋め込み用シース
１０１  先端部外周
１０２  基部寄り部分外周
１０３  フランジ部
１０４  縮径部
１０５  軸孔
１０５ａ  小径部
１０５ｂ  拡径部
１０６，１０６ａ、１０６ｂ  止血部
１３０  接続パイプ
１３１  縮径部
１３２  拡径部
１３３  フランジ部
１４０  クリップ
１４１  ヒンジ部
１４２，１４３  腕部
１４４  係合溝
１４５  第１係合部
１４６  係合部
１４７  第２係合部
【図１】
0003590736.tif 000002
【図２】
0003590736.tif 000003
【図３】
0003590736.tif 000004
【図４】
0003590736.tif 000005
【図５】
0003590736.tif 000006
【図６】
0003590736.tif 000007
【図７】
0003590736.tif 000008
【図８】
0003590736.tif 000009
【図９】
0003590736.tif 000010
【図１０】
0003590736.tif 000011
【図１１】
0003590736.tif 000012
【図１２】
0003590736.tif 000013
【図１３】
0003590736.tif 000014
【図１４】
0003590736.tif 000015